(57)【要約】【課題】断熱性に優れていると共に、火災時にガラスが脱落することがない障子とする。【解決手段】框組体２４にガラス２５を装着した障子において、その框組体２４を構成する各框は、屋内側合成樹脂部材３０と屋外側金属部材４０を結合して凹陥部５０を有する框本体と、その凹陥部５０内に設けた金属製のアタッチメント６０を備え、このアタッチメント６０と屋外側金属部材４０とでガラス２４を保持して火災時に脱落しないようにする。【選択図】図３
2008291542.tif 000002
【特許請求の範囲】
【請求項１】
上框と下框と召合せ框と戸先框を方形状に連結した框組体にガラスを装着した障子であって、
前記各框は、屋内側合成樹脂部材と屋外側金属部材を結合して面内方向内側に開口した凹陥部を有した框本体と、この框本体の凹陥部内に設けられ前記屋外側金属部材に固着した金属製のアタッチメントを備え、
前記アタッチメントと屋外側金属部材とでガラス装着用の嵌合溝を形成し、
前記嵌合溝に前記ガラスを装着したことを特徴とする障子。
【請求項２】
アタッチメントにおけるガラスよりも屋内側で嵌合溝を形成し、かつ屋内側合成樹脂部材と連続した面内方向の内側部分の表面を、前記屋内側合成樹脂部材の表面と同一意匠とした請求項１記載の障子。
【請求項３】
アタッチメントにおける面内方向の内側部分の表面に、屋内側合成樹脂部材の表面と同一意匠の意匠用シートを貼着した請求項１記載の障子。
【請求項４】
アタッチメントの面内方向の内側部分を、屋内外側方向に向う内側板とし、
この内側板の長さが異なるアタッチメントを取付けることで、嵌合溝の開口部の屋内外側方向の寸法を変えてガラスとして単板ガラス、複層ガラスを選択して装着できるようにした請求項１又は２又は３記載の障子。
【請求項５】
下框における屋内側合成樹脂部材とアタッチメントとの間に、そのアタッチメントの面内方向の内側部分に流れ落ちた結露水を下框内部に排水する排水部を形成した請求項１又は２又は３記載の障子。
【請求項６】
下框の屋内側合成樹脂部材を、本体と、その本体に設けた面内方向内側に向う突出板を有するものとし、
アタッチメントを、取付板と内向板と内側板により断面ほぼコ字形状で、その取付板を、当該アタッチメントの内側板に結露水が流れ落ちるように下框の屋外側金属部材に固着して取付け、
前記屋内側合成樹脂部材の突出板とアタッチメントの内向板、内側板との間に隙間を形成し、この隙間に結露水が流れ込むようにして排出部とすると共に、前記内側板を水平に対して斜めとした請求項５記載の障子。
【発明の詳細な説明】
【技術分野】
【０００１】
本発明は、引違い窓、片引き戸などの引き戸に用いる障子に関する。
【背景技術】
【０００２】
特許文献１に引き戸に用いる障子が開示されている。
この障子は、上框と下框と召合せ框と戸先框を、屋外側金属部と屋内側合成樹脂部とを結合してガラス装着用の嵌合溝を有するものとし、その各框を方形状に連結して框組体とし、その各嵌合溝に亘ってガラスを装着してある。
【特許文献１】特開２００６−１２４９５２号公報
【発明の開示】
【発明が解決しようとする課題】
【０００３】
前述した従来の障子は、各框の屋外側が金属で、屋内側が樹脂であるから、屋内外側に熱が伝わり難く、断熱性に優れている障子である。
しかし、ガラスを屋外側金属部と屋内側樹脂部とで保持しているので、火災時に屋内側樹脂部が溶融するとガラスが脱落してしまう。
【０００４】
本発明の目的は、断熱性に優れていると共に、火災時にガラスが脱落することがない障子とすることである。
【課題を解決するための手段】
【０００５】
本発明は、上框と下框と召合せ框と戸先框を方形状に連結した框組体にガラスを装着した障子であって、
前記各框は、屋内側合成樹脂部材と屋外側金属部材を結合して面内方向内側に開口した凹陥部を有した框本体と、この框本体の凹陥部内に設けられ前記屋外側金属部材に固着した金属製のアタッチメントを備え、
前記アタッチメントと屋外側金属部材とでガラス装着用の嵌合溝を形成し、
前記嵌合溝に前記ガラスを装着したことを特徴とする障子である。
【０００６】
本発明においては、アタッチメントにおけるガラスよりも屋内側で嵌合溝を形成し、かつ屋内側合成樹脂部材と連続した面内方向の内側部分の表面を、前記屋内側合成樹脂部材の表面と同一意匠とすることができる。
このようにすれば、アタッチメントのガラスよりも屋内側で面内方向の内側部分の表面と、屋内側合成樹脂部材の表面が同一の見栄えとなるので、屋内側からの見栄えが良い。
【０００７】
本発明においては、アタッチメントにおける面内方向の内側部分の表面に、屋内側合成樹脂部材の表面と同一意匠の意匠用シートを貼着することができる。
このようにすれば、意匠用シートを貼着するだけとの簡単な作業で屋内側からの見栄えの良い障子とすることができる。
【０００８】
本発明においては、アタッチメントの面内方向の内側部分を、屋内外側方向に向う内側板とし、
この内側板の長さが異なるアタッチメントを取付けることで、嵌合溝の開口部の屋内外側方向の寸法を変えてガラスとして単板ガラス、複層ガラスを選択して装着できる障子とすることができる。
このようにすれば、アタッチメントを交換することで単板ガラスを装着した障子、複層ガラスを装着した障子とすることができる。
【０００９】
本発明においては、下框における屋内側合成樹脂部材とアタッチメントとの間に、そのアタッチメントの面内方向の内側部分に流れ落ちた結露水を下框内部に排水する排水部を形成することができる。
このようにすれば、ガラスの室内側面等に生じた結露水をアタッチメントの内側部分から下框内部に排水して屋内側に流れ落ちることがないようにできる。
【００１０】
本発明においては、下框の屋内側合成樹脂部材を、本体と、その本体に設けた面内方向内側に向う突出板を有するものとし、
アタッチメントを、取付板と内向板と内側板により断面ほぼコ字形状で、その取付板を、当該アタッチメントの内側板に結露水が流れ落ちるように下框の屋外側金属部材に固着して取付け、
前記屋内側合成樹脂部材の突出板とアタッチメントの内向板、内側板との間に隙間を形成し、この隙間に結露水が流れ込むようにして排出部とすると共に、前記内側板を水平に対して斜めとすることができる。
このようにすれば、ガラスの室内側面等に生じた結露水が内側板に沿って隙間に向けてスムーズに流れ、その隙間から下框内部に排水することができる。
【発明の効果】
【００１１】
本発明によれば、各框の框本体が屋内側合成樹脂部材と屋外側金属部材を有しているから、断熱性に優れた障子である。
また屋外側金属部材と金属製のアタッチメントで嵌合溝とし、その嵌合溝にガラスが装着してあるので、火災時に屋内側合成樹脂部材が溶融しても屋外側金属部材とアタッチメントでガラスを保持できるから、火災時にガラスが脱落することがない。
【発明を実施するための最良の形態】
【００１２】
図１と図２に示すように、枠体１の屋内側寄りと屋外側寄りに障子２をスライド自在にそれぞれ装着して引違い窓としてある。
前記枠体１は上枠１０と下枠１１と左右の縦枠１２を方形状に連結してある。
前記各障子２は、上框２０と下框２１と召合せ框２２と戸先框２３を方形状に連結した框組体２４にガラス２５を装着したものである。
【００１３】
前記枠体１の上枠１０、下枠１１、左右の縦枠１２は、屋内側金属部材１０ａ，１１ａ，１２ａと屋外側金属部材１０ｂ，１１ｂ，１２ｂを断熱材１０ｃ，１１ｃ，１２ｃで結合した断熱部材で、枠体１は断熱性に優れている。
例えば、アルミ押出形材の屋内側部材とアルミ押出形材の屋外側部材とを断熱材で結合したアルミ断熱形材である。
【００１４】
前記上框２０、下框２１、召合せ框２２、戸先框２３は、図３、図４に示すように、屋内側合成樹脂部材３０と屋外側金属部材４０を結合し、面内方向内側に開口した凹陥部５０を有している框本体２０ａ，２１ａ，２２ａ，２３ａと、その凹陥部５０に設けた金属製のアタッチメント６０を備えている。
前記アタッチメント６０は、前記屋外側金属部材４０の凹陥部５０の底面を形成する部分４０ａにビス６１で固着されている。
このアタッチメント６０の固着はビスに限ることはない。例えば、アタッチメント６０と屋外側金属部材４０の一方に係合片、他方に係合受片を設け、その係合片と係合受片を係合して固着するようにしても良い。
また、固着する位置は前述の部分４０ａに限ることはない。
このアタッチメント６０は框の長手方向全長に亘って連続している。
このアタッチメント６０と屋外側金属部材４０とでガラス装着用の嵌合溝７０を形成し、その嵌合溝７０にガラス２５が装着してある。例えば、ガスケット２６を介在して装着してある。
【００１５】
このようであるから、各框は断熱性に優れているから断熱性に優れた障子である。
また、屋外側金属部材４０と金属製のアタッチメント６０でガラス２５を保持しているから、火災時に屋内側合成樹脂部材３０を溶融してもガラス２５が脱落しない。
【００１６】
前記アタッチメント６０における嵌合溝７０を形成する面内方向の内側部分６０ａは、ガラス２５よりも屋内側で、屋内外側方向に向うと共に、屋内側合成樹脂部材３０の面内方向の内側端面３０ａと略面一となるように連続している。
前記内側部分６０ａの表面は、表面処理されて金属表面が屋内から見えないようにしてある。
例えば、表面に意匠用シート８０を貼着したり、塗料を塗ったり、表面に印刷処理したりする。
【００１７】
好ましくは、前記内側部分６０ａの表面は、前記屋内側合成樹脂部材３０の表面と同一意匠としてある。
前記同一意匠とは、色が同一、又は模様が同一、又は色と模様が同一等で、見た目が同一となることである。なお、同一とは全く同じであることが好ましいが、若干異なる場合も含むものである。
例えば、屋内側合成樹脂部材３０の表面と同一意匠の意匠用シート８０が貼着してある。
この意匠用シート８０としてはラッピングシート材が好ましい。
【００１８】
このようであるから、屋内から見た時に金属製のアタッチメント６０の金属面が見えることがないので、屋内側からの見栄えが良い。
特に、屋内側合成樹脂部材３０の表面と同一意匠であれば、屋内側からの見栄えがより一層良いものとなる。
また、意匠用シート８０を貼着した場合には、その作業が簡単であるから、簡単な作業で屋内側からの見栄えが良い障子とすることができる。
【００１９】
次に、各部材の具体形状を説明する。
前記屋内側合成樹脂部材３０は、本体３１と、この本体３１の面内方向の内側面３１ａよりも面内方向内側に向けて突出した突出板３２を有している。
例えば、樹脂押出形材である。
前記突出板３２の突出端面３２ａが前述の内側端面３０ａである。
前記本体３１の屋内側面３１ｂと突出板３２の屋内側面３２ｂとはほぼ面一である。
前記屋外側金属部材４０は、本体４１と、この本体４１の面内方向の内側面４１ａより面内方向内側に向けて突出した突出板４２を有している。
例えば、アルミ押出形材である。
この本体４１の内側面４１ａが前述の凹陥部５０の底面を形成する部分４０ａである。
前記各突出板３２，４２は中実でも良いし、空洞部を有するものでも良い。
【００２０】
前記屋内側合成樹脂部材３０の本体３１と屋外側金属部材４０の本体４１が結合され、前記突出板４２の突出端面４２ａと前記突出板３２の突出端面３２ｂは面内方向に略同一位置であると共に、各本体３１，４１の内側面３１ａ，４１ａと各突出板３２，４２とで前述の凹陥部５０を形成している。
【００２１】
なお、召合せ框２２の屋内側合成樹脂部材３０は、鉤形状の本体３１と、この本体３１と連結した突出板３２を有し、その突出板３２の突出端部は屋外側に向けて折曲し、屋外側金属部材４０の本体４１における屋内側で内側部に係合している。
【００２２】
前記金属製のアタッチメント６０は、屋内外側方向（面外方向）に向う取付板６２と、この取付板６２の屋内側端部と連続した面内方向で内側に向う内向板６３と、この内向板６３の面内方向内側端部と連続し屋内外側方向で屋外側に向う内側板６４で断面ほぼコ字形状の長尺材である。例えば、アルミ押出形材である。
前記取付板６２が本体４１の内側面４１ａにビス６１で固着して取付けられ、内向板６３と内側板６４と屋外側金属部材４０の突出板４２とで嵌合溝７０を形成している。
前記内側板６４が前記突出板３２の突出端面３２ａと面内方向にほぼ同一位置であり、この内側板６４が前述の面内方向の内側部分６０ａである。
この内側板６４の屋外側端部と屋外側金属部材４０の内向板４２の突出端部とが面内方向に同一位置で、前述の嵌合溝７０の開口部を形成し、前述のガスケット２６が装着してある。
【００２３】
前記上框２０、下框２１の長手方向端面が召合せ框２２、戸先框２３の面内方向の内側部に突き当てて連結され、上框２０、下框２１に取付けたアタッチメント６０の内側板６４に、召合せ框２２、戸先框２３に取付けたアタッチメント６０の長手方向端面が接するようにしてある。
【００２４】
前記下框２１の屋外側金属部材４０の本体４１における面内方向の内側面４１ａにはビスホール４３が上向きに設けてあるので、アタッチメント６０の取付板６２に面外方向に間隔を置いて一対の垂下片６２ａを設け、その一対の垂下片６２ａが内側面４１ａに接すようにビスホール４３にビス６１を上から螺合してアタッチメント６０を固着して取付けてある。
【００２５】
前記アタッチメント６０の内側板６４の屋外側端部と屋外側金属部材４０の突出板４２の突出端部とで嵌合溝７０の開口部を形成しているので、その内側板６４の長さを変えることで嵌合溝７０の開口部の屋内外側方向の寸法を大きくしたり、小さくできる。
したがって、図３、図４に示すように、内側板６４が長いアタッチメント６０を取付けることで、嵌合溝７０の開口部の屋内外側方向の寸法が小さくなり、ガラス２５として単板ガラスを装着できる。
【００２６】
また、図５に示すように、内側板６４が短かいアタッチメント６０を取付けることで、嵌合溝７０の開口部の屋内外側方向の寸法が大きくなり、ガラス２５として複層ガラスを装着できる。
【００２７】
前述のように、アタッチメント６０の内側板６４がガラス２５より屋内側において屋内外側方向（面外方向）に向うので、その内側板６４を手掛けとして利用できる。
したがって、召合せ框２２、戸先框２３の内側板６４に手を掛けて障子を容易に開閉できる。
【００２８】
また、アタッチメント６０が前述のようであると、ガラス２５の室内側面等に生じた結露水が下框２１のアタッチメント６０の内側板６４に流れ落ち、屋内側に流れ込む恐れがあるので、下框２１のガラス２５よりも屋内側部分に排水部を形成し、アタッチメント６０の内側板６４に流れ落ちた結露水を下框２１の内部に排水して屋内側に流れ落ちないようにできる。
【００２９】
例えば、図６に示すように、下框２１の屋内側合成樹脂部材３０の突出板３２とアタッチメント６０の内向板６３、内側板６４との間に隙間ａ，ｂを形成し、その内側板６４に流れ落ちた結露水が前述の隙間ａ，ｂに流れ込んで下框２１内部に排水されるようにする。
【００３０】
このようにした場合には、内側板６４の屋内寄り部分、又は全体を水平に対して屋内側が屋外側よりも低くなるように斜めとし、内側板６４に流れ落ちた結露水が隙間ａ，ｂに流れ易くすることができる。
【００３１】
前述の説明では引き違い窓の障子としたが、片引き戸などの引き戸の障子として用いることができる。
【図面の簡単な説明】
【００３２】
【図１】本発明の実施の形態を示す引き違い窓の縦断面図である。
【図２】本発明の実施の形態を示す引き違い窓の横断面図である。
【図３】障子の拡大縦断面図である。
【図４】障子の拡大横断面図である。
【図５】複層ガラスを装着した障子の横断面図である。
【図６】本発明の第２の実施の形態を示す障子の縦断面図である。
【符号の説明】
【００３３】
１…枠体、２…障子、２０…上框、２０ａ…框本体、２１…下框、２１ａ…框本体、２２…召合せ框、２２ａ…框本体、２３…戸先框、２３ａ…框本体、２４…框組体、２５…ガラス、２６…ガスケット、３０…屋内側合成樹脂部材、３１…本体、３２…突出板、４０…屋外側金属部材、４１…本体、４２…突出板、５０…凹陥部、６０…アタッチメント、６０ａ…内側部分、６１…ビス、６２…取付板、６３…内向板、６４…内側板、7０…ガラス装着用の嵌合溝、８０…意匠用シート。
【図１】
2008291542.tif 000003
【図２】
2008291542.tif 000004
【図３】
2008291542.tif 000005
【図４】
2008291542.tif 000006
【図５】
2008291542.tif 000007
【図６】
2008291542.tif 000008